(57)【特許請求の範囲】
【請求項１】
波長λ近傍で同調するアンテナを構成する方法において、
基板の面に、λ／４で共振するアンテナパターンを形成し、
金属フレームの平板状部に対して上記の基板を対向せしめて支持するとともに、その金属フレームによって、λ／４で共振するヘリカルコイルを支持し、
上記アンテナパターンの一方の端を金属フレームに対して接続，導通せしめ、
上記ヘリカルコイルの一端と、前記アンテナパターンの一端とを対向させて静電容量を形成し、上記ヘリカルコイルの他端を高周波回路の出力端に接続して、前記ヘリカルコイルをアンテナ励振器として作用させることを特徴とする、低姿勢小型アンテナの構成方法。
【請求項２】
上記ヘリカルコイルと高周波回路の出力端を接続，導通せしめる手段において、
同軸ケーブルの芯線をヘリカルコイルの一端に、外部導体を上記金属フレームにそれぞれ接続、導通せしめ、
前記同軸ケーブルの芯線のもう一方の端を高周波回路の出力端に、外部導体を高周波回路の地板に、それぞれ接続することを特徴とする、請求項１に記載した低姿勢小型アンテナの構成方法。
【請求項３】
波長λ近傍で同調するアンテナを構成する方法において、
基板の面の片端に、λ／４で共振するアンテナパターンを形成するとともに、
上記基板の他方の端付近に、λ／４で共振する励振器パターンを形成し、
前記アンテナパターンと励振器パターンとを対向離間させて両者の間に静電容量を形成せしめ、
前記基板に対向する平面状部分を有する金属フレームによって、該基板を支持し、
前記励振器パターンの一端を高周波回路の出力端に接続することを特徴とする、低姿勢型小型アンテナの構成方法。
【請求項４】
上記励振器パターンと高周波回路を接続，導通せしめる手段において、
同軸ケーブルの芯線をλ／４励振器パターンの一端に、外部導体を上記金属フレームにそれぞれ接続、導通せしめ、
前記同軸ケーブルの芯線のもう一方の端を高周波回路の出力端に、外部導体を高周波回路の地板に、それぞれ接続することを特徴とする、請求項３に記載した低姿勢小型アンテナの構成方法。
【請求項５】
前記アンテナパターンは、前記基板上に形成された、長方形もしくはジグザグ状部を有する概要的に短冊状であり、
上記基板が金属フレームによって支持されるとともに、上記ジグザグ状部付近が上記金属フレームに接続、導通されることを特徴とする、請求項１もしくは請求項３に記載した低姿勢小型アンテナの構成方法。
【請求項６】
前記金属フレームの両端部に、取付ネジを挿通するための孔を設けて、この孔に挿通した取付ネジを前記地板に螺着して該金属フレームを地板に対して固定するとともに導通せしめ、
もしくは、前記金属フレームの両端部に、「λ／４で共振するアンテナパターンを形成した基板」と反対方向に突出する接地・取付用の端子を形成し、この端子を地板に貫通させてはんだ付けすることを特徴とする、請求項１もしくは請求項３に記載した低姿勢小型アンテナの構成方法。
【請求項７】
前記の金属フレームに、前記アンテナパターンを形成された基板とほぼ等しい長方形状の平板状部を形成し、
上記平板状部の端部付近をほぼ直角に折り曲げて立壁状部を形成するとともに、該立壁状部の先端付近で前記アンテナパターンを形成された基板を支持し、
かつ、前記長方形状の平板状部を、その長辺に沿ってほぼ直角に折り曲げ、補強リブとして機能する補強縁を形成して、前記平板状部の歪みを防止することを特徴とする、請求項１もしくは請求項３に記載した低姿勢小型アンテナの構成方法。
【請求項８】
前記ヘリカルコイルを円柱状ボビンに巻き付けて形成し、該ボビンを前記金属フレームに取り付け、
前記アンテナを形成した基板の片方の端を金属フレームに取り付けて支持するとともに、上記基板の他方付近を前記のボビンに取り付けて支持することを特徴とする、請求項１に記載した低姿勢小型アンテナの構成方法。
【請求項９】
波長λ近傍で同調するアンテナにおいて、
λ／４で共振するアンテナパターンを形成された基板と、
上記基板の片端に取り付けられて該基板を支持し、アンテナパターンに接続，導通された金属フレームと、
上記金属フレームに取り付けられたコイル用のボビンと、
上記ボビンに巻回成形されて、λ／４で共振するヘリカルコイルと、
上記ヘリカルコイルの一端に芯線を接続，導通されるとともに、外部導体を金属フレームに接続，導通された同軸ケーブルとを具備していて、
上記金属フレームは、地板に装着できるようになっており、前記ヘリカルコイルの他端と、前記アンテナパターンとが対向離間していて、両者の間に静電容量が形成されていることを特徴とする、低姿勢小型アンテナ。
【請求項１０】
上記ヘリカルコイルと高周波回路の出力端を接続，導通せしめる手段において、
同軸ケーブルの芯線をヘリカルコイルの一端に、外部導体を上記金属フレームにそれぞれ接続，導通せしめ、
前記同軸ケーブルの芯線のもう一方の端を高周波回路の出力端に、外部導体を高周波回路の地板に、それぞれ接続することを特徴とする、請求項９に記載した低姿勢小型アンテナ。
【請求項１１】
波長λ近傍で同調するアンテナにおいて、
基板の面の一端、λ／４で共振するアンテナパターンを形成するとともに、
上記基板の他端付近に、λ／４で共振する励振器パターンとが形成されるとともに、上記双方のパターンが対向離間して両者の間に静電容量が形成されており、
上記の基板が金属フレームによって支持されるとともに、前記アンテナパターンが上記金属フレームに接続，導通され、
かつ、同軸ケーブルの外部導体が上記金属フレームに接続，導通されるとともに、該同軸ケーブルの芯線が「前記励振器パターンが前記アンテナパターンに対向している部分の反対側の端部付近」に接続，導通され、
前記金属フレームが高周波回路基板に形成された地板に装着し得るようになっていることを特徴とする、低姿勢小型アンテナ。
【請求項１２】
上記励振器パターンと高周波回路を接続，導通せしめる手段において、
同軸ケーブルの芯線をλ／４励振器パターンの一端に、外部導体を上記金属フレームにそれぞれ接続、導通せしめ、
前記同軸ケーブルの芯線のもう一方の端を高周波回路の出力端に、外部導体を高周波回路の地板に、それぞれ接続することを特徴とする、請求項１１に記載した低姿勢小型アンテナ。
【請求項１３】
前記アンテナパターンは、前記基板上に形成された、長方形もしくはジグザグ状部を有する概要的に短冊状であり、
上記基板が金属フレームによって支持されるとともに、上記ジグザグ状部付近が上記金属フレームに接続、導通されることを特徴とする、請求項９もしくは請求項１１に記載した低姿勢小型アンテナ。
【請求項１４】
前記の金属フレームの形状，寸法は、前記基板に類似する部分を有しており、
上記基板に類似している部分の長手方向の両端部が、取付ネジにより、もしくは取付用の接地端子により、地板に対して機械的に固定されるとともに電気的に導通されていることを特徴とする、請求項９もしくは請求項１１に記載した低姿勢小型アンテナ。
【請求項１５】
前記の金属フレームは、前記短冊状の基板に類似した形状、寸法の平板状部分を有しており、
上記平板状部の長手方向の端部付近がほぼ直角に折り曲げられて立壁状部が形成されるとともに、該立壁状部の端付近に前記短冊状の基板が取り付けられて支持されており、
かつ上記平板状部の長手方向の縁がほぼ直角に折り曲げられて、該平板状部の歪みを防止する補強リブとして機能し得るようになっていることを特徴とする、請求項９もしくは請求項１１に記載した低姿勢小型アンテナ。
【請求項１６】
前記金属フレームに形成された平板状部に、係合用の孔もしくは切欠が設けられるとともに、前記ボビンの片方の端面に係合用の突起が設けられ、
かつ、前記短冊状基板の長手方向の端部付近に、係合用の孔もしくは切欠が設けられるとともに、前記ボビンの他方の端面に係合用の突起が設けられて、２組の「係合孔もしくは係合切欠と係合用突起との対偶」が形成されており、
前記のボビンを、その中心線まわりに回動せしめることによって、上記２組の係合待遇が、同時に係合されたり同時に離脱されたりするようになっていることを特徴とする、請求項９に記載した低姿勢小型アンテナ。
【請求項１７】
波長λ近傍で同調するアンテナにおいて、
概要的に短冊状をなし、ジグザグ状部を形成された、λ／４で共振する板状アンテナのパターンを形成された基板と、
上記の基板の長手方向の片方の端に取り付けられて該基板を支持し、板状アンテナパターンのジグザグ状部付近に接続，導通された金属フレームと、
上記金属フレームに取り付けられたコイル用のボビンと、
上記ボビンに巻回成形されて、λ／４で共振するヘリカルコイルと、
上記ヘリカルコイルの一端に芯線を接続，導通されるとともに、外部導体を金属フレームに接続，導通された同軸ケーブルとを具備しており、
かつ、前記金属フレームに、
イ．前記短冊状の基板とほぼ等しい形状，寸法を有し、該基板に対してほぼ平行に対向している平板状部分と、
ロ．短冊状の平板状部分の長辺に隣接して、その幅方向に同一平面に沿って延長した形状の延長部と、
ハ．前記平板状部と延長部とが一体に連接された長方形板状部分の周囲の大半の部分が、前記基板と反対側に折り曲げられた補強縁と、
ニ．前記延長部に穿たれた、地板取付ネジ用の透孔と、が設けられていて、
前記ヘリカルコイルの他端と、前記板状アンテナパターンとが対向離間して、両者の間に静電容量が形成されていることを特徴とする、低姿勢小型アンテナ。
【発明の詳細な説明】
【０００１】
【発明の属する技術分野】
本発明は、小型の無線通信機用の内蔵アンテナに関するものであって、小型，軽量で、優れた利得と広帯域の同調特性とを有し、特に、工業的生産に適している低姿勢で小型のアンテナに関するものである。
【０００２】
【従来の技術】
ＧＨｚ（ギガヘルツ）クラスの電波を送受信するアンテナとして、λ／２で共振するホイップアンテナが用いられている。
しかし、ホイップアンテナの機械的な長さ寸法が約１０センチメートルであると、取扱いに不便であったりするため、これを伸縮形に構成したり、傾倒形に構成したりして収納・伸長可能にすることが多く用いられていた。
しかし、収納・伸長可能な方式では、その操作に手数を要する上に、伸長姿勢のときに外部障害物と衝突して折損する虞れも有る。
そこで、λ／４程度に短縮され、伸長・収縮の手動操作を必要としない内蔵形のアンテナが開発された。この技術は本発明者によって創作され、本出願人によって別途出願中（特願２０００−２３７６２９号）のものである（以下、未公知の先願という）。
図９は、未公知の先願発明において図１として掲げられた模式図である。
全長λ／４の板状アンテナ１は、Ｌ字状に折り曲げられ、その短辺側の端１ａを地板２に取り付けられて支持されている。
一方、λ／４のアンテナ励振器３は、その入力端３ｂを高周波回路４の出力端に接続され、かつ、その開放端３ａが前記板状アンテナ１の開放端１ｃに対向離間して、静電結合容量ｃを形成している。
本図９に示した未公知の先願に係るアンテナは、その全長の電気的長さがλ／４であって、その機械的な長さ寸法をλ／４未満に短縮することもでき、これを内蔵式アンテナとして使用すれば伸縮操作を必要としないので非常に便利であり、外部障害物の衝突を受けて折損する虞れが無い。その上、広帯域の同調性と高い利得とを有していて、アンテナ特性が優れている。
【０００３】
【発明が解決しようとする課題】
本発明者は、前記未公知の発明を出願した後、その実用化試験研究を推進し、実用条件の下においても所期の効果が発揮されることを確認したが、その反面、なお改善の余地が有ることを発見し、これを確認した。
上記改善の余地について以下に説明すると、
このアンテナ装置を良好な特性で作動させるには、静電結合容量ｃが臨界結合状態を現出する適正値であること、および、Ｌ字状に成形された板状アンテナ１の長辺と地板２との平行度、および間隔寸法が適正であることを必要とする。
実験室的な使用条件では以上の事項が別段の不具合を生じないが、このアンテナ（図８）を工業的に大量生産すると、多数の製品の品質の均一性（具体的にはアンテナ特性の均一性）を維持することが難しい。
その理由は、金属板を短冊状に打ち抜いてＬ字状に折り曲げた板状アンテナ１の、短辺側の端を地板２に取り付けて、該板状アンテナ１の位置，姿勢を高精度で規制することが容易でないからである。
さらに、アンテナ励振器３を前記板状アンテナ１に対して、高精度で位置決めすることも容易ではない。
本発明は上述の事情に鑑みて為されたものであって、その目的とする処は、
前記未公知の先願に係るアンテナを改良して、小形，伸縮不要，高性能（特に広帯域同調特性）という特長を損うことなく、工業的生産における品質の均一性維持するに適し、さらに高さ寸法（板状アンテナと地板との間隔寸法）をいっそう低くすることのできる技術を提供するにある。
【０００４】
【課題を解決するための手段】
上記の目的を達成するために創作した請求項１に係る発明方法の構成は、波長λ近傍で同調するアンテナを構成する方法において、
基板の面に、λ／４で共振するアンテナパターンを形成し、
金属フレームの平板状部に対して上記の基板を対向せしめて支持するとともに、その金属フレームによって、λ／４で共振するヘリカルコイルを支持し、
上記アンテナパターンの一方の端を金属フレームに対して接続，導通せしめ、
上記ヘリカルコイルの一端と、前記アンテナパターンの一端とを対向させて静電容量を形成し、上記ヘリカルコイルの他端を高周波回路の出力端に接続して、前記ヘリカルコイルをアンテナ励振器として作用させることを特徴とする。
請求項２に係る発明方法の構成は、前記請求項１の発明の構成要件に加えて、上記ヘリカルコイルと高周波回路の出力端を接続，導通せしめる手段において、
同軸ケーブルの芯線をヘリカルコイルの一端に、外部導体を上記金属フレームにそれぞれ接続、導通せしめ、
前記同軸ケーブルの芯線のもう一方の端を高周波回路の出力端に、外部導体を高周波回路の地板に、それぞれ接続することを特徴とする。
【０００５】
請求項３に係る発明方法の構成は、波長λ近傍で同調するアンテナを構成する方法において、
基板の面の片端に、λ／４で共振するアンテナパターンを形成するとともに、
上記基板の他方の端付近に、λ／４で共振する励振器パターンを形成し、
前記アンテナパターンと励振器パターンとを対向離間させて両者の間に静電容量を形成せしめ、
前記基板に対向する平面状部分を有する金属フレームによって、該基板を支持し、
前記励振器パターンの一端を高周波回路の出力端に接続することを特徴とする。
請求項４に係る発明方法の構成は、前記請求項３の発明の構成要件に加えて、上記励振器パターンと高周波回路を接続，導通せしめる手段において、
同軸ケーブルの芯線をλ／４励振器パターンの一端に、外部導体を上記金属フレームにそれぞれ接続、導通せしめ、
前記同軸ケーブルの芯線のもう一方の端を高周波回路の出力端に、外部導体を高周波回路の地板に、それぞれ接続することを特徴とする。
【０００６】
請求項５に係る発明方法の構成は、前記請求項１もしくは請求項３の構成要件に加えて、前記アンテナパターンは、前記基板上に形成された、長方形もしくはジグザグ状部を有する概要的に短冊状であり、
上記基板が金属フレームによって支持されるとともに、上記ジグザグ状部付近が上記金属フレームに接続、導通されることを特徴とする。
【０００７】
請求項６に係る発明方法の構成は、前記請求項１もしくは請求項３の発明の構成要件に加えて、前記金属フレームの両端部に、取付ネジを挿通するための孔を設けて、この孔に挿通した取付ネジを前記地板に螺着して該金属フレームを地板に対して固定するとともに導通せしめ、
もしくは、前記金属フレームの両端部に、「λ／４で共振するアンテナパターンを形成した基板」と反対方向に突出する接地・取付用の端子を形成し、この端子を地板に貫通させてはんだ付けすることを特徴とする。
【０００８】
請求項７に係る発明方法の構成は、前記請求項１もしくは請求項３の発明の構成要件に加えて、前記の金属フレームに、前記アンテナパターンを形成された基板とほぼ等しい長方形状の平板状部を形成し、
上記平板状部の端部付近をほぼ直角に折り曲げて立壁状部を形成するとともに、該立壁状部の先端付近で前記アンテナパターンを形成された基板を支持し、
かつ、前記長方形状の平板状部を、その長辺に沿ってほぼ直角に折り曲げ、補強リブとして機能する補強縁を形成して、前記平板状部の歪みを防止することを特徴とする。
【０００９】
請求項８に係る発明方法の構成は、前記請求項１の発明方法の構成要件に加えて、前記ヘリカルコイルを円柱状ボビンに巻き付けて形成し、該ボビンを前記金属フレームに取り付け、
前記アンテナを形成した基板の片方の端を金属フレームに取り付けて支持するとともに、上記基板の他方付近を前記のボビンに取り付けて支持することを特徴とする。
【００１０】
請求項９に係る低姿勢小型アンテナの構成は、波長λ近傍で同調するアンテナにおいて、
λ／４で共振するアンテナパターンを形成された基板と、
上記基板の片端に取り付けられて該基板を支持し、アンテナパターンに接続，導通された金属フレームと、
上記金属フレームに取り付けられたコイル用のボビンと、
上記ボビンに巻回成形されて、λ／４で共振するヘリカルコイルと、
上記ヘリカルコイルの一端に芯線を接続，導通されるとともに、外部導体を金属フレームに接続，導通された同軸ケーブルとを具備していて、
上記金属フレームは、地板に装着できるようになっており、前記ヘリカルコイルの他端と、前記アンテナパターンとが対向離間していて、両者の間に静電容量が形成されていることを特徴とする。
請求項１０に係る低姿勢小型アンテナの構成は、前記請求項９の発明の構成要件に加えて、上記ヘリカルコイルと高周波回路の出力端を接続，導通せしめる手段において、
同軸ケーブルの芯線をヘリカルコイルの一端に、外部導体を上記金属フレームにそれぞれ接続，導通せしめ、
前記同軸ケーブルの芯線のもう一方の端を高周波回路の出力端に、外部導体を高周波回路の地板に、それぞれ接続することを特徴とする。
【００１１】
請求項１１の発明に係る低姿勢小型アンテナの構成は、波長λ近傍で同調するアンテナにおいて、
基板の面の一端、λ／４で共振するアンテナパターンを形成するとともに、
上記基板の他端付近に、λ／４で共振する励振器パターンとが形成されるとともに、上記双方のパターンが対向離間して両者の間に静電容量が形成されており、
上記の基板が金属フレームによって支持されるとともに、前記アンテナパターンが上記金属フレームに接続，導通され、
かつ、同軸ケーブルの外部導体が上記金属フレームに接続，導通されるとともに、該同軸ケーブルの芯線が「前記励振器パターンが前記アンテナパターンに対向している部分の反対側の端部付近」に接続，導通され、
前記金属フレームが高周波回路基板に形成された地板に装着し得るようになっていることを特徴とする。
請求項１２の発明に係る低姿勢小型アンテナの構成は、前記請求項１１の発明の構成要件に加えて、上記励振器パターンと高周波回路を接続，導通せしめる手段において、
同軸ケーブルの芯線をλ／４励振器パターンの一端に、外部導体を上記金属フレームにそれぞれ接続、導通せしめ、
前記同軸ケーブルの芯線のもう一方の端を高周波回路の出力端に、外部導体を高周波回路の地板に、それぞれ接続することを特徴とする。
請求項１３の発明に係る低姿勢小型アンテナの構成は、前記請求項９もしくは請求項１１の発明の構成要件に加えて、前記アンテナパターンは、前記基板上に形成された、長方形もしくはジグザグ状部を有する概要的に短冊状であり、
上記基板が金属フレームによって支持されるとともに、上記ジグザグ状部付近が上記金属フレームに接続、導通されることを特徴とする。
請求項１４の発明に係る低姿勢小型アンテナの構成は、前記請求項９もしくは請求項１１の発明の構成要件に加えて、前記の金属フレームの形状，寸法は、前記基板に類似する部分を有しており、
上記基板に類似している部分の長手方向の両端部が、取付ネジにより、もしくは取付用の接地端子により、地板に対して機械的に固定されるとともに電気的に導通されていることを特徴とする。
【００１２】
請求項１５の発明に係る低姿勢小型アンテナの構成は、前記請求項９もしくは請求項１１の発明の構成要件に加えて、前記の金属フレームは、前記短冊状の基板に類似した形状、寸法の平板状部分を有しており、
上記平板状部の長手方向の端部付近がほぼ直角に折り曲げられて立壁状部が形成されるとともに、該立壁状部の端付近に前記短冊状の基板が取り付けられて支持されており、
かつ上記平板状部の長手方向の縁がほぼ直角に折り曲げられて、該平板状部の歪みを防止する補強リブとして機能し得るようになっていることを特徴とする。
【００１３】
請求項１６の発明に係る低姿勢小型アンテナの構成は、前記請求項９の発明の構成要件に加えて、前記金属フレームに形成された平板状部に、係合用の孔もしくは切欠が設けられるとともに、前記ボビンの片方の端面に係合用の突起が設けられ、
かつ、前記短冊状基板の長手方向の端部付近に、係合用の孔もしくは切欠が設けられるとともに、前記ボビンの他方の端面に係合用の突起が設けられて、２組の「係合孔もしくは係合切欠と係合用突起との対偶」が形成されており、
前記のボビンを、その中心線まわりに回動せしめることによって、上記２組の係合対待遇が、同時に係合されたり同時に離脱されたりするようになっていることを特徴とする。
【００１４】
請求項１７の発明に係る低姿勢小型アンテナの構成は、波長λ近傍で同調するアンテナにおいて、
概要的に短冊状をなし、ジグザグ状部を形成された、λ／４で共振する板状アンテナのパターンを形成された基板と、
上記の基板の長手方向の片方の端に取り付けられて該基板を支持し、板状アンテナパターンのジグザグ状部付近に接続，導通された金属フレームと、
上記金属フレームに取り付けられたコイル用のボビンと、
上記ボビンに巻回成形されて、λ／４で共振するヘリカルコイルと、
上記ヘリカルコイルの一端に芯線を接続，導通されるとともに、外部導体を金属フレームに接続，導通された同軸ケーブルとを具備しており、
かつ、前記金属フレームに、
イ．前記短冊状の基板とほぼ等しい形状，寸法を有し、該基板に対してほぼ平行に対向している平板状部分と、
ロ．短冊状の平板状部分の長辺に隣接して、その幅方向に同一平面に沿って延長した形状の延長部と、
ハ．前記平板状部と延長部とが一体に連接された長方形板状部分の周囲の大半の部分が、前記基板と反対側に折り曲げられた補強縁と、
ニ．前記延長部に穿たれた、地板取付ネジ用の透孔と、が設けられていて、
前記ヘリカルコイルの他端と、前記板状アンテナパターンとが対向離間して、両者の間に静電容量が形成されていることを特徴とする。
【００１５】
【発明の実施の形態】
図１は本発明の１実施形態を示す模式的な斜視図であって、請求項１および請求項６に対応し、請求項５および請求項１０の構成も表している。
符号５を付して示したのは短冊状の基板である。本発明において短冊状とは、外見的に明らかに正方形と異なる長方形、および、これに類似した形状をいう。
上記の基板５の片面の大半を覆って、λ／４で共振する板状アンテナ素子のパターン６が形成されている。このアンテナパターン６は、基板面の長手方向の片側に寄せて配置されている。
Ｘ−Ｘ´は、基板５の長手方向の中心線であり、本例においてはλ／４板状アンテナパターン６がＸ側に寄せられ、Ｘ´側の端部はパターンの無い区域になっている。
上記λ／４板状アンテナパターン６の、Ｘ−Ｘ´方向についてＸ側に片寄せてジグザグ状部６ａが設けられている。
このようにしてジグザグ状部を設けると、電気的長さλ／４の板状アンテナの機械的長さ寸法をλ／４よりも短くすることができる。しかし、充分な注意を払わないでジグザグ状部を設けるとアンテナ性能（利得，同調帯域幅）を著しく劣化させる虞れが有る。
本実施形態のようにジグザグ状部６ａをＸ側（板状アンテナの接地端側）に片寄せると、ジグザグ状部に因るアンテナ性能の劣化を軽減することができる。
【００１６】
符号７を付して示したのは、基板５を支持する金属フレームである。
上記金属フレーム７には、基板５とほぼ同形、同寸の平板状部７ａが形成されている。この金属フレーム７はアンテナ性能の面からも重要な構成部材であって、その長手方向の片方の端をほぼ直角に折り上げて立壁状部７ｂを形成し、その上端の縁に基板５のＸ側の端を取り付けて支持している。取付け方法は限定されないが、本例においては基板面にパターンを形成している金属膜にハンダ付けした。上記平板状部７ａの長手方向の平行２辺を補強リブ状にほぼ直角に折り曲げて補強縁７ｃを形成してある。金属フレーム７の端部や２辺の折り曲げ角度は直角であることが望ましいが、機構学的に等価な構造であれば、必ずしも直角でなくても本発明の技術的範囲に属する。
符号７ｄ、７ｅを付して示したのは、それぞれ金属フレーム７の板金素材から切り起こして形成された端子で、回路基板（図外）の地板に挿通してハンダ付けされる。これにより，金属フレーム７は機械的に地板に固定されるとともに、電気的に地板と一体になる。
【００１７】
ボビン８は、図２を参照して後に述べるように、上，下の端面をそれぞれ基板５と金属フレーム平板状部７ａとに取り付けられ、支柱としての役目も兼ねており、λ／４で共振するヘリカルコイル９を巻回されている。
上記ヘリカルコイル９の下端９ａに、同軸ケーブル１０の芯線１０ａが接続され、その外部導体１０ｂは金属フレーム７に接続導通されている。この同軸ケーブル１０の他端にはケーブルコネクタ１０ｃが接続されていて、高周波回路（図外）の出力端に接続導通される。
これにより、前記ヘリカルコイル９の下端９ａは入力端となり、その上端が出力端９ｂとなる。該出力端９ｂと、先に述べた板状アンテナパターン６との間に静電容量ｃが形成され、前記ヘリカルコイル９はλ／４で共振する励振器として機能し、前記アンテナパターン６は後に図５を参照して説明するような優れたアンテナ特性を発揮する。
本図１に示した実施形態のアンテナは、その機械的な高さ寸法Ｈが低く、機械的な長さ寸法Ｌが小さいので、移動通信機などの内蔵アンテナとして好適である。
その上、本図１に示した構成部材が１個のアッセンブリを形成していて、市場流通性を有しているので、分業化されたアンテナ専門メーカーにとって、商取引，計数，包装など各種の面で実用的に好都合である。
【００１８】
図２は、前掲の図１に示した実施形態の要部分解斜視図である。
金属フレーム７の平板状部７ａは、その長手方向の片方の端に立壁状部７ｂが形成されている（既述）。その他方の端付近に、係合孔７ｆが穿たれている。
これに対応してボビン８の底面には下部係合突起８ｂが設けられている。
上記ボビン８の頂面には上部係合突起８ａが設けられていて、これに対応する係合孔５ａが、基板５のＸ′側の端部付近に設けられている。
このように構成すると、ボビン８の取り付けや、ボビン８による基板５の支持に関して、接着などの煩雑な操作を必要とせず、タップ立てやネジ螺合締付といった構造や操作を必要とせず、迅速かつ容易にボビン８を取り付けることができ、必要に応じて脱着することもできる。
【００１９】
図３は、前掲の図１、図２と異なる実施形態の模式的な斜視図である。
本実施形態の基板５は、前記実施形態における基板５に対応する構成部材であるが、前記実施形態におけるよりもＸ−Ｘ´方向の長さを長く構成してある。
該基板５のＸ側に寄せて、λ／４で共振するアンテナパターン６、およびジグザグ状部６ａを設けてあることは前記実施形態と類似の構成である。
基板５がＸ−Ｘ´方向に長いので、そのＸ´側寄りにはアンテナパターン６が形成されていないスペースが出来る。このスペースに、λ／４で共振する励振器パターン１２を構成する。
そして、上記λ／４励振器パターン１２と前記λ／４アンテナパターン６とが対向している箇所に、静電容量ｃを形成させる。
符号１１を付して示したのは、前記の基板５を支持する金属フレームであって、該基板とほぼ同形，同寸の平板状部１１ｂが形成されている。
上記平板状部１１ｂの、長手方向について両端部付近に、それぞれ立壁状部１１ｂが設けられていて、該立壁状部１１ｂの上端の縁付近に前記の基板５を取り付けて支持している。
前記λ／４励振器パターン１２の「アンテナパターン６に対向している側」の反対側の端に同軸ケーブル１０の芯線が接続されている。
本図３においては読図を容易ならしめるように模式化して、基板５の上面側に描いてあるが、本実施形態の実物においては基板５の下面側（金属フレーム平板状部１１ａとの間）に前記同軸ケーブル１０が配線されている。
上記同軸ケーブル１０の外部導体は、前記金属フレーム１１に接続，導通されている。
本図３に示した取付ネジ挿通孔５ａについては、図４を参照して次に説明する。
【００２０】
図４は、前掲の図３に示した実施形態の縦断面図である。
基板５を支持している金属フレーム１１は、その平板状部１１ａを地板１５ａに装着して使用に供される。本例の地板１５ａは、無線機（図外）の回路基板１５の面に成膜された部材である。
上記金属フレーム平板状部１１ａの長手方向について両端付近に孔１１ｃが穿たれていて、この孔１１ｃに挿通された取付ネジ１３により、該金属フレーム平板状部１１ａが地板１５ａに密着せしめられて、機械的に固定されるとともに、電気的に一体化される。
上記の取付ネジ１３を取り付けたり締め付けたりするため、基板５に取付ネジ挿通孔５ａが穿たれている。１４はドライバである。
先に本明細書の段落番号０００３で述べたように、本発明は未公知の先願に係るアンテナ技術の改良であり、広義にはブルーツース方式のアンテナに属する。
この方式のアンテナは、充分な接地容量を前提として良好に機能するものであるから、金属フレームを完全に接地させることは非常に重要である。本図４に例示した取付ネジ１３や、前掲の図２に示した接地・取付端子７ｄ，７ｅが、金属フレーム平板状部の両端それぞれに配設されているのは、金属フレームの平板状部を、完全なアースとして機能させるための構成である。
図５は、図１に示した実施形態におけるＳＷＲ特性図表であり、図６は図３に示した実施形態におけるＳＷＲ特性図表であって、いずれの実施例も数ギガサイクル付近で優れた広帯域性を有していることが分かる。
【００２１】
図７は、先に図１に示した実施形態の変形例を示す模式的な斜視図である。
例えば既製の回路基板に設けられた地板、もしくは既製の通信機に内蔵されている地板に、本発明に係るアンテナを装着しようとしたとき、既製の基板に「本発明に係るアンテナの金属フレーム」を装着する余裕面積の無い場合も起こり得る。このような場合は、本図５に示した金属フレーム７´のように、平板状部７ａを側方ヘ延長した形の取付用延長部７ｇを形成し、この延長部にネジ孔として使用する透孔７ｈを穿つとともに、これに対応するネジ孔１６ａを地板１６に設け、取付ネジ１３を透孔７ｈに挿通してネジ孔１６ａに螺合し、これを締め付ける。これによって、地板１６に仮想線で示したエリアｅを利用して本発明に係るアンテナを設置することができる。
なお、本実施形態（図７）に示した地板１６は、回路基板に成膜された地板であっても良く、板金製の単独の部材であっても良い。
【００２２】
図８は前記と異なる実施形態を示す。この実施形態は、前掲の図１に示した実施形態の改良例であって、基板５，アンテナパターン６，ボビン８，ヘリカルコイル９，同軸ケーブルコネクタ１０ｃ，および静電容量ｃは、前掲の図１に示した実施形態におけると同様ないし類似の構成部分である。
本実施形態（図８）の金属フレーム１７は、地板１６に対する取付状態を良くするため、前記実施形態（図１）の金属フレーム７を改良した構成部材である。
上記金属フレーム１７は、基板５に対して平行に対向する平板状の部分１７ａと延長部１７ｂとが一体に連設されるとともに、上記平板状部分１７ａの端部が直角に折り上げた形に延長されて立壁状部１７ｃを形成している。
この立壁状部１７ｃは、前記実施形態（図１）における立壁状部７ｂに対応する構成部分であって、基板５を支持している。
前記平板状部分１７ａは、短冊状の基板５とほぼ等しい形状，寸法をなしていて、その長辺に隣接せしめて、同一平面状に、延長部１７ｂが設けられている。この延長部１７ｂの長辺の長さ寸法は、前記平板状部分１７ａの長さ寸法とほぼ等しく設定することが望ましい。また、延長部１７ｂの幅寸法は限定されないが、平板状部分１７ａの幅寸法と同程度に設定しておくのが適当である。
【００２３】
上述のように構成された結果、一体に連設された平板状部分１７ａと延長部１７ｂとは、ほぼ長方形をなす。この長方形の周囲の大半の部分を図の下方（すなわち、基板５と反対側）に折り曲げて補強縁１７ｄを形成する。この補強縁１７ｄを設けることによって、一体成形された平板状部１７ａと延長部１７ｂとの剛性が増し、歪みにくくなるのでアンテナ性能が安定し、かつ、後に述べるようにして地板１６に装着したとき、機械的な支持が強固になる。
本発明において「周囲の大半を折り曲げて補強縁を形成すること」は、周囲の全部を折り曲げて補強縁を形成することも含む意であるが、必ずしも全周でなくても良い。本図８の例においては板金成形の都合上、立壁状部１７ｃを折り上げた箇所は補強縁が途切れている。
また、切欠１７ｅは、図外の構成部分との干渉を避けるために設けたものであって、この部分でも補強縁が途切れている。なお、本図８において、上記切欠１７ｅの所に補強縁の断面が現れていて、その形状が容易に理解される。
【００２４】
前記延長部１７ｂには、取付ネジ用の透孔１７ｆが穿たれている。
取付ネジ用のメネジ孔１６ａが穿たれている地板１６の縁を、矢印ａのように金属フレームの延長部１７ｂの上に重ね合わせ、取付ネジ１３を屈曲矢印ｂのように透孔１７ｆに挿通した後、取付ネジ孔１６ａに螺合して締め付ける。
この図８に示したようにして金属フレーム１７を地板１６に接続すると、取付ネジ１３の頭部が図の下向きになる。しなわち、該頭部が地板１６からアンテナパターン６に向けて膨出することが無い。このため、取付ネジ１３がアンテナ性能に悪影響を及ぼさない。
【００２５】
【発明の効果】
以上に本発明の実施形態を挙げてその構成，機能を明らかならしめたように、請求項１の発明方法によると、板状アンテナパターンが基板面に形成されており、かつ、該アンテナパターンが金属フレームに接続されるので、このアンテナパターンの精密な位置決めが容易である。
その上、アンテナ励振器として作用するヘリカルコイルを上記の基板に対して位置決めすることによって、該ヘリカルコイルをアンテナパターンに対して位置決めすることができる。
このように位置決めが容易であるから、工業的に生産した場合、多数の製品の品質（特にアンテナ特性）を均一ならしめることができる。
請求項２の発明方法によると、請求項１の発明に係る低姿勢小型アンテナを、高周波回路に対して容易かつ確実に電気的に接続することができる。
請求項３の発明方法によると、λ／４アンテナパターンとλ／４励振器パターンとが基板の面に形成されているので、両者の相対的な位置関係を精密に規制することができ、かつ、上記双方のパターンを「接地された金属フレーム」に対して正確に位置決めすることができる。
このため、工業的に生産した場合、多数の製品の品質（特にアンテナ性能）が均一に保たれる。
請求項４の発明方法によると、請求項３の発明に係る低姿勢小型アンテナを、高周波回路に対して容易かつ確実に電気的に接続することができる。
請求項５の発明方法によると、請求項１の低姿勢小型アンテナ、もしくは請求項３の低姿勢小型アンテナの長さ寸法をいっそう短縮することができる。
請求項６の発明方法によると、金属フレームが地板に対して確実に固定され、かつ確実に導通される。
この種のアンテナは、充分な地板を有することを条件として、実用に耐え得るアンテナ性能が得られる。このため、金属フレームを必須の構成とする請求項１、同  の発明において、本請求項６を適用して該金属フレームを地板に対して機械的に固定するとともに、電気的に一体化することの実用的価値は多大である。
請求項７の発明方法によると、基板に対向する金属フレーム平板状部の平面度が確保され、かつ、基板と平板状部との位置関係が確実に規制されるので、良好なアンテナ特性が得られ、特に、工業的に生産した場合に、多数の製品の品質の均一性が保証される。
請求項８の発明方法によると、基板の両端部と金属フレーム平板状部の両端部とが、それぞれ相互に、立壁状部とボビンとによって確実に支持され、その電気的性能が良好に保たれる。特に、工業的に生産した場合、多数の製品の均一性（特に、アンテナ性能の均一性）が保証される。
【００２６】
請求項９の発明アンテナによると、板状アンテナのパターンが基板に形成され、かつ、該基板が金属フレームに取り付けられ、
一方、該金属フレームに取り付けられたボビンにヘリカルコイルが巻成されていて、このヘリカルコイルが励振器として作用するので、板状アンテナと励振器（ヘリカルコイル）との位置合わせが容易であり、使用中に狂う虞れも無い。同様の理由により、工業的に生産した場合、多数の製品の品質（特にアンテナ性能）に均一性が良い。
請求項１０の発明によると、請求項９の発明に係る低姿勢小型アンテナを、高周波回路に対して容易かつ確実に電気的に接続することができる。
請求項１１の発明を適用すると、λ／４アンテナパターンと、λ／４励振器パターンとが、共通の基板（５）に形成されているので、双方のパターンの相対的な位置関係が容易にかつ高精度で規制され、これを工業的に生産した場合、多数の製品の品質が（特にアンテナ性能）の均一性が保証される。
請求項１２の発明によると、請求項１１に係る低姿勢小型アンテナを、高周波回路に対して容易かつ確実に、電気的に接続することができる。
請求項１３の発明によると、請求項９もしくは請求項１１の低姿勢小型アンテナの長さ寸法をいっそう短縮することができる。
請求項１４の発明によると、金属フレームの内で基板に対向している部分（すなわち、板状アンテナパターンに対向している面）が、地板に対して確実に固定され、かつ電気的に一体化される。λ／４アンテナパターンは、上述のようにして確保された充分な地板容量の存在を前提として良好なアンテ特性を発揮することができる。
請求項１５の発明によると、金属フレームの内で基板に対向している部分の平面度が保たれ、かつ、該対向部分の間隔が規制されるので、所望のアンテナ特性（高利得・広帯域性）が安定して得られる。
請求項１６の発明によると、励振器として機能するヘリカルコイルのボビンによって、「金属フレームに対して基板を支持する役目」を兼ねさせるので、簡単な構成で強固な枠状の構造が得られ、安定したアンテナ性能が保持され、しかも上記ボビンの組立作業性が良く、迅速、容易に組み付けることができる。
【００２７】
請求項１１の発明のアンテナによると、板状アンテナのパターンが基板に形成され、かつ、該基板が金属フレームに取り付けられ、
一方、該金属フレームに取り付けられたボビンにヘリカルコイルが巻成されていて、このヘリカルコイルが励振器として作用するので、板状アンテナと励振器（ヘリカルコイル）との位置合わせが容易であり、使用中に狂う虞れも無い。
その上、金属フレームに形成された延長部に対して地板が取り付けられるようになっており、かつ、金属フレームの平板状部分と延長部とを一体成形された長方形板状部材の周囲に補強縁が形成されているので、アンテナパターンに対向してグランドとして機能する平板状部分が歪みにくく、地板に対して確実かつ強固に固定される。このため、無線通信機に対してアンテナを組み付ける作業性が良く、しかも、アンテナ性能が安定していて、当該無線通信機を過って取り落とすなどして衝撃を与えても、破損したり調整が狂ったりする虞れが無い。
【図面の簡単な説明】
【図１】本発明の１実施形態を示す模式的な斜視図であって、請求項１および同６に対応し、請求項５および同１０の構成も表している。
【図２】前掲の図１に示した実施形態の要部分解斜視図である。
【図３】前掲の図１、図２と異なる実施形態の模式的な斜視図である。
【図４】前掲の図３に示した実施形態の縦断面図である。
【図５】前掲の図１に示した実施形態におけるＳＷＲ特性図表である。
【図６】前掲の図３に示した実施形態におけるＳＷＲ特性図表である。
【図７】図１に示した実施形態の変形例における分解斜視図である。
【図８】図１に示した実施形態の改良例を描いた模式的な斜視図である。
【図９】未公知の先願発明の原理を説明するための模式図である。
【符号の説明】
１…片側接地板状アンテナ、２…地板、３…アンテナ励振器、４…高周波回路５…基板、６…λ／４で共振する板状アンテナ、６ａ…ジグザグ状部、７…金属フレーム、７ａ…平板状部、７ｂ…立壁状部、７ｃ…補強縁、７ｄ、７ｅ…接地・取付端子、７ｆ…係合孔、８…ボビン、８ａ…上部係合突起、８ｂ…下部係合突起、９…λ／４で共振するヘリカルコイル、９ａ…ヘリカルコイル入力端、９ｂ…ヘリカルコイル出力端、１０…同軸ケーブル、１０ａ…芯線、１０ｂ…外部導体、１１…基板を支持する金属フレーム、１１ａ…平板状部、１１ｂ…立壁状部、１１ｃ…孔、１２…λ／４励振器パターン、１３…取付ネジ、１４…ドライバ、１５…回路基板、１５ａ…地板、１６…地板、１６ａ…取付ネジ孔、１７…金属フレーム、１７ａ…基板に対向する平板状の部分、１７ｂ…延長部、１７ｃ…立壁状部、１７ｄ…補強縁、１７ｅ…切欠、１７ｆ…透孔。
【図１】
0004748633.tif 000002
【図２】
0004748633.tif 000003
【図３】
0004748633.tif 000004
【図４】
0004748633.tif 000005
【図５】
0004748633.tif 000006
【図６】
0004748633.tif 000007
【図７】
0004748633.tif 000008
【図８】
0004748633.tif 000009
【図９】
0004748633.tif 000010